(57)【特許請求の範囲】
【請求項１】
内容物の吐出口を有する有底筒状の内容器と、前記内容器が内装されると共に前記内容器を正立姿勢に保つ筒状の外装体と、を備える二重容器であって、
前記外装体が、下端開口部が接地部とされると共に上端開口部が前記内容器をその底部側から挿入する挿入口とされた本体筒と、前記本体筒内に配設されると共に前記内容器の底部に突設された係合突片に形成された係合部と係合する係合部材と、を備え、
前記係合部材が、前記本体筒から該本体筒内に向けて突設された基板部と、前記基板部の先端部に配設されると共に前記係合部と係合する鉤部と、を有し、
前記鉤部が、前記内容器を前記本体筒内に前記本体筒の上端開口部から挿入したときに、前記係合突片に摺接して前記基板部の基端部側に向けて弾性変位され、該鉤部の先端が前記係合部に到達したときに、前記鉤部の復元変位により前記係合部と係合し、
前記外装体が、弾性変形した前記基板部の先端部に当接し、前記基板部の先端部が基端部から離間する方向に変位するように復元変形することを規制する規制部材を有することを特徴とする二重容器。
【請求項２】
前記基板部の先端部には、第１係止部が形成され、
前記規制部材には、前記第１係止部と係合して前記鉤部の下方への移動を規制する第２係止部が形成されていることを特徴とする請求項１に記載の二重容器。
【請求項３】
前記鉤部が、その先端に向かうにしたがって漸次下方に向けて延在することを特徴とする請求項１または２に記載の二重容器。
【請求項４】
前記外装体が、前記内容器をその底部側から支持する支持部材を備えることを特徴とする請求項１から３のいずれか１項に記載の二重容器。
【発明の詳細な説明】
【技術分野】
【０００１】
本発明は、二重容器に関する。
【背景技術】
【０００２】
従来から、二重容器として、内容物の吐出口を有する有底筒状の内容器と、前記内容器が内装されると共に前記内容器を正立姿勢に保つ有頂筒状の外装体と、を備えるものが提案されている（例えば、特許文献１参照）。この二重容器において、内容器は、有底筒状の容器本体と、容器本体の口部に装着されると共に吐出口を有する吐出部材と、を備え、外装体は、内容器が内装されると共にその天壁部に吐出部材を挿通する挿通孔が形成された有頂筒状の本体筒と、本体筒の天壁部においてスライド移動自在に配設された保持部材と、を備えている。このような二重容器では、本体筒の下端開口部は、接地部とされており、外装体が自立することによって、内装された内容器を正立姿勢で保持している。
【０００３】
外装体に内容器を装着する場合には、本体筒の下端開口部内に内容器を吐出部材側から挿入し、吐出部材を挿通孔内に挿入して天壁部から上方に突出させた後に、保持部材をスライド移動させて内容器の容器本体の口部を保持部材と天壁部との間に挟みこむ。これにより、内容器を外装体に固定する。
【先行技術文献】
【特許文献】
【０００４】
【特許文献１】特開２００２−２７４５６４号公報
【発明の概要】
【発明が解決しようとする課題】
【０００５】
しかしながら、このような二重容器では、外装体に内容器を容易に装着することについて改善の余地があった。
【０００６】
本発明は、前述の課題に鑑みてなされたもので、外装体に内容器を容易に装着することができる二重容器を提供することを目的とする。
【課題を解決するための手段】
【０００７】
本発明は、上記のような課題を解決するために以下のような手段を採用した。すなわち、本発明の二重容器は、内容物の吐出口を有する有底筒状の内容器と、前記内容器が内装されると共に前記内容器を正立姿勢に保つ筒状の外装体と、を備える二重容器であって、
前記外装体が、下端開口部が接地部とされると共に上端開口部が前記内容器をその底部側から挿入する挿入口とされた本体筒と、前記本体筒内に配設されると共に前記内容器の底部に突設された係合突片に形成された係合部と係合する係合部材と、を備え、前記係合部材が、前記本体筒から該本体筒内に向けて突設された基板部と、前記基板部の先端部に配設されると共に前記係合部と係合する鉤部と、を有し、前記鉤部が、前記内容器を前記本体筒内に前記本体筒の上端開口部から挿入したときに、前記係合突片に摺接して前記基板部の基端部側に向けて弾性変位され、該鉤部の先端が前記係合部に到達したときに、前記鉤部の復元変位により前記係合部と係合し、前記外装体が、弾性変形した前記基板部の先端部に当接し、前記基板部の先端部が基端部から離間する方向に変位するように復元変形することを規制する規制部材を有することを特徴とする。
【０００８】
この発明では、内容器を外装体の本体筒内にその底部側から挿入することによって、内容器の係合突片と係合部材とが係合するので、外装体に内容器を容易に装着することができる。
すなわち、内容器を外装体に装着する際には、内容器を外装体の本体筒内にその底部側から挿入し、係合突片により係合部材の鉤部を下方に向けて押し込んで鉤部を基板部の基端部側に向けて弾性変位させる。そして、内容器をさらに押し込んで鉤部の先端を係合突片に摺接させながら、鉤部の先端を係合部に到達させると、鉤部が復元変位することにより、この鉤部が係合部に係合する。一方、内容器を外装体から抜き出す際には、指などで係合部材の基板部を基板部の基端部側に向けて押し込んで鉤部と係合部との係合を解除し、その後、内容器を外装体に対して上方に引き上げる。
さらに、係合突片が内容器の底部に突設されているので、例えば、内容器が積層剥離容器の場合に、鉤部と係合部とが係合していることに起因して、積層剥離容器を構成する内層のうち係合突片が配設されている部分が外層から離反しにくくなることを防止し、内容物の残量が増大することを回避できる。
また、基板部の先端部の位置が安定するため、鉤部と係合部との係合が安定し、内容器を外装体により確実に固定できると共に、装着及び抜き出しを繰り返しても内容器の装着容易性が低下することを防止できる。
【００１０】
また、本発明の二重容器では、前記基板部の先端部には、第１係止部が形成され、前記規制部材には、前記第１係止部と係合して前記鉤部の下方への移動を規制する第２係止部が形成されていてもよい。
この場合では、係合突片の押込時に基板部が下方に向けて変位することを防止するので、係合突片により係合部材の鉤部を下方に向けて安定して押し込むことができ、外装体に内容器をより容易に装着することができる。
【００１１】
また、本発明の二重容器では、前記鉤部が、その先端に向かうにしたがって漸次下方に向けて延在してもよい。
この場合では、外装体に内容器を装着する際に、鉤部に係合突片を引っ掛けることなくスムーズに摺接させながら鉤部を弾性変位させることが可能になり、外装体に内容器をより容易に装着することができる。また、鉤部が係合部と係合した状態で、内容器が外装体に対して上方に向けて移動することをより確実に規制できる。
【００１２】
また、本発明の二重容器では、前記外装体が、前記内容器をその底部側から支持する支持部材を備えてもよい。
この場合では、外装体により内容器を正立姿勢にした状態で、内容器のうち係合突片が配設された部分に局所的な負荷が集中して内容器が大きく変形することを防止できる。例えば、内容器が積層剥離容器の場合に、内層が外層から離反しにくくなる部分が生じたり予期せぬ剥離が生じたりすることを回避できる。
【発明の効果】
【００１３】
この発明にかかる二重容器によれば、内容器を外装体の本体筒内にその底部側から挿入すると、係合突片により鉤部が基板部の基端部側に向けて弾性変位し、鉤部の先端が係合部に到達したときにこの鉤部が係合部と係合するので、外装体に内容器を容易に装着することができる。
【図面の簡単な説明】
【００１４】
【図１】本発明の一実施形態における二重容器を示す軸方向断面図である。
【図２】図１の二重容器を示す他の軸方向断面図である。
【図３】図２の外装体の組立状態を示す軸方向断面図である。
【図４】図２の二重容器において内容器を外装体から取り外す方法を示す軸方向断面図である。
【図５】図２の二重容器において内容器を外装体に装着する方法を示す軸方向断面図である。
【発明を実施するための形態】
【００１５】
以下、本発明における二重容器の一実施形態を、図面に基づいて説明する。なお、以下の説明に用いる各図面では、各部材を認識可能な大きさとするために縮尺を適宜変更している。
【００１６】
本実施形態における二重容器１は、図１及び図２に示すように、内容物の吐出口２Ａを有する内容器２と、内容器２が内装されると共に内容器２を正立姿勢に保つ楕円筒状の外装体３と、を備える。
内容器２は、いわゆる積層剥離容器とされ、内層１１と外層１２とが剥離可能に積層された有底楕円筒状の容器本体１３と、容器本体１３の口部１３Ａに装着されると共に吐出口２Ａを有する吐出部材１４と、を備える。
【００１７】
ここで、内容器２の容器本体１３と外装体３とは、それぞれ共通軸と同軸に配置されている。以下、この共通軸を容器軸Ｏとし、この容器軸Ｏ方向に沿って容器本体１３における口部１３Ａ側を上側、逆方向を下側とし、容器軸Ｏに直交する方向を径方向、容器軸Ｏ回りに周回する方向を周方向とする。
本実施形態では、容器本体１３の胴部及び外装体３それぞれは、平面視で楕円形状となっている。以下、この楕円の長軸に沿う方向を長軸方向Ｌとし、短軸に沿う方向を短軸方向Ｓとする。なお、容器本体１３及び外装体３それぞれは、平面視で楕円形状以外の他の形状をなすように構成されてもよい。
【００１８】
容器本体１３の外層１２には、内容物の吐出に伴って内層１１との間に外気を導入する空気孔（図示略）が形成されている。この空気孔は、例えば外層１２における容器本体１３の口部、首部または底部に対応する部分に形成されている。
容器本体１３の底部１３Ｂは、下方に向けて膨出する曲面状をなしており、上方から下方に向かうにしたがって漸次長軸方向Ｌ及び短軸方向Ｓ双方の長さが短くなっている。また、底部１３Ｂには、長軸方向Ｌに延在する長方形状の板体である係合突片１５が下方に向けて突設されている。係合突片１５は、容器本体１３の底部１３Ｂにおける中央部に一体に配設されており、係合突片１５には、長軸方向Ｌに沿って延在する係合孔（係合部）１５Ａが形成されている。
【００１９】
吐出部材１４は、容器本体１３の口部１３Ａに装着される有頂円筒状の装着キャップ部２１と、装着キャップ部２１の天壁部２１Ａに上方に向けて突設された流通筒部２２と、流通筒部２２の上端部に突設されたフランジ状の受板部２３と、受板部２３上に配設された開閉フィルム２４と、を備える。
【００２０】
装着キャップ部２１は、二重筒状に形成されており、それぞれ円筒状をなす内筒部２１Ｂと外筒部２１Ｃとの間には、容器本体１３の口部１３Ａの上端部が差し込まれている。
流通筒部２２内は、装着キャップ部２１の内筒部２１Ｂ内に連通している。
受板部２３は、流通筒部２２の上端開口縁から長軸方向Ｌの外方に向けて突出している。また、受板部２３は、平面視で長軸方向Ｌに沿って延在する長方形状をなしていると共に、長軸方向Ｌに沿って一方側が他方側よりも流通筒部２２から大きく突出しており、他方側から一方側に向かうにしたがって漸次上方に向けて延在している。受板部２３は、短軸方向Ｓに沿って外方から内方に向かうにしたがって漸次下方に向けて膨出するように湾曲している。
【００２１】
開閉フィルム２４は、平面視で長軸方向Ｌに沿って延在する長方形状をなしており、受板部２３上に配設されて流通筒部２２の上端開口を上方から覆っている。開閉フィルム２４において流通筒部２２の上端開口よりも径方向外方に位置する外周部は、周方向に沿って一部を除いて受板部２３の上面に固着されており、開閉フィルム２４の外周部の一部と受板部２３とによって流通筒部２２の上端開口から流出した内容物を吐出する吐出口２Ａを画定する。本実施形態では、吐出口２Ａは、受板部２３及び開閉フィルム２４それぞれの長軸方向Ｌの一端部に画定されている。
【００２２】
なお、受板部２３において吐出口２Ａを画定している部分には、破断可能な弱化部２３Ａを介して切取片２５が連設されており、開閉フィルム２４は、吐出口２Ａを画定する部分から延出して切取片２５の上面に固着されることによって、吐出口２Ａが密封される。また、図２に示すように、切取片２５における短軸方向Ｓの一端部には、ツマミ片２５Ａが短軸方向Ｓの外方に突設されている。
【００２３】
外装体３は、図１から図３に示すように、楕円筒状の本体筒３１と、本体筒３１内に設けられて内容器２の係合突片１５と係合する係合部材３２と、容器本体１３をその底部１３Ｂ側から支持する支持筒（支持部材）３３と、係合部材３２に当接する規制壁（規制部材）３４と、を備える。これら本体筒３１、係合部材３２、支持筒３３及び規制壁３４は、一体に形成されている。
本体筒３１は、下端開口部３１Ａが接地部とされると共に上端開口部３１Ｂが内容器２をその底部１３Ｂ側から挿入する挿入口とされている。
【００２４】
係合部材３２は、本体筒３１とヒンジ３５を介して連結されている。係合部材３２は、本体筒３１から短軸方向Ｓの内方に向けて突設された弾性変形可能な基板部３６と、基板部３６の先端部に配設されて係合突片１５の係合孔１５Ａと係合する鉤部３７と、を有する。
基板部３６は、ヒンジ３５から短軸方向Ｓの内方に向かうにしたがって漸次上方に向かうと共に短軸方向Ｓの内方に向けて膨出するように湾曲した板状体である。上述のように湾曲することによって弾性変形した基板部３６の先端部は、短軸方向Ｓの外方から規制壁３４に当接しており、基板部３６の復元変形が規制されている。また、基板部３６の先端部には、規制壁３４の後述する第２係止突出部（第２係止部）３４Ａと係合する第１係止突出部（第１係止部）３６Ａが短軸方向Ｓの内方に向けて突設されている。基板部３６の先端部は、第１及び第２係止突出部３４Ａ、３６Ａが係合することにより、下方への変位が規制される。なお、基板部３６は、短軸方向Ｓの内方に向けて膨出するように湾曲しているが、短軸方向Ｓの外方に向けて膨出するように湾曲してもよい。
【００２５】
鉤部３７は、先端に向かうにしたがって漸次下方に向けて延在する板状体である。
ヒンジ３５は、容器軸Ｏに直交する面に沿って延在している。本実施形態では、ヒンジ３５は、長軸方向Ｌに沿って延在している。
係合部材３２は、図３に示すように、本体筒３１から短軸方向Ｓの外方に向けて突出して延在するように一体成形されており、これを図３の矢印Ａに示すように、ヒンジ３５回りに回転させ、基板部３６を上述のように湾曲させながら基板部３６の先端部を規制壁３４に当接させることによって本体筒３１内に配設される。
【００２６】
支持筒３３は、図１及び図２に示すように、本体筒３１から径方向内方に突設されており、下方に向かうにしたがって漸次径方向内方に向けて延在する円筒状をなしている。支持筒３３の下端開口は、平面視で長軸方向Ｌに延在する長方形状となっている。支持筒３３には、容器本体１３の底部１３Ｂが配置されると共に、支持筒３３の上記下端開口には、容器本体１３の底部１３Ｂの中央部分が下方に向けて膨出し、係合突片１５が上記下端開口から外方に突出される。
【００２７】
規制壁３４は、支持筒３３の上記下端開口部のうち長軸方向Ｌに沿う一端縁から下方に向けて突設された板状体である。規制壁３４の下端部には、短軸方向Ｓの外方に向けて第２係止突出部３４Ａが突設されている。
なお、支持筒３３の上記下端開口部のうち長軸方向Ｌに沿う他方の端縁には、規制壁３４との間で容器本体１３の係合突片１５の上下方向の移動を案内する案内壁３８が下方に向けて突設されている。
【００２８】
次に、以上のような構成の二重容器１を用いた内容物の吐出方法について説明する。
まず、ツマミ片２５Ａを摘んで受板部２３に対して引っ張ることで、弱化部２３Ａを破断し、ツマミ片２５Ａを受板部２３から分離する。
そして、吐出口２Ａが下方を向くように二重容器１を傾けると、容器本体１３内の内容物は、吐出部材１４の装着キャップ部２１内及び流通筒部２２内を通って流通筒部２２の上端開口から受板部２３上に開閉フィルム２４を押し上げながら流出する。この際、流出した内容物の自重により開閉フィルム２４が受板部２３から離反する方向に反転変形する。これにより、吐出部材１４における流通筒部２２の上端開口と吐出口２Ａとは、受板部２３と開閉フィルム２４との間を通って連通し、吐出口２Ａが開口する。
【００２９】
なお、内容物の吐出に伴って、容器本体１３の内層１１と外層１２との間には、上記空気孔を通って外気が導入され、内層１１は、外層１２から剥離しながら減容変形する。このとき、鉤部３７と係合孔１５Ａとが係合していることに起因して、内層１１のうち係合突片１５が配設されている底部１３Ｂ部分が外層１２から離反しにくくなることを防止し、容器本体１３内の内容物の残量が増大することが回避される。また、容器本体１３の底部１３Ｂを支持筒３３で支持しているので、容器本体１３の底部１３Ｂに局所的な負荷が集中することが防止され、内層１１が外層１２から離反しにくくなる部分が生じたり予期せぬ剥離が生じたりすることが回避される。
【００３０】
次に、二重容器１を吐出前の元の正立姿勢に戻すと、受板部２３と開閉フィルム２４との間の内容物が流通筒部２２の上端開口を通って容器本体１３内に戻され、開閉フィルム２４に加えられていた内容物の自重による押圧力が解除される。これにより、開閉フィルム２４が復元変形して受板部２３の上面に密接し、吐出部材１４における流通筒部２２の上端開口と吐出口２Ａとの連通が遮断され、吐出口２Ａが閉塞される。
【００３１】
次に、内容器２の交換方法について説明する。
例えば内容物を使い切った場合には、内容器２を外装体３から抜き出す。まず、図４に示すように、基板部３６のうちの湾曲部分を上方かつ短軸方向Ｓの外方に向けて押圧し、係合部材３２の鉤部３７が短軸方向Ｓの外方に変位するように基板部３６を弾性変形させる。これにより、鉤部３７は、係合突片１５の係合孔１５Ａから抜き出し、係合部材３２と係合突片１５との間の係合を解除する。次に、内容器２を引き上げて外装体３から抜き出す。
【００３２】
続いて、内容物が充填された新たな内容器２を外装体３に内装する。まず、図５に示すように、本体筒３１の上端開口部３１Ｂ内に容器本体１３の底部側から内容器２を挿入し、係合突片１５により係合部材３２の鉤部３７を下方に向けて押し込む。これにより、係合部材３２の鉤部３７は、係合突片１５の下端縁に摺接されつつ短軸方向Ｓの外方に弾性変位する。そして、係合部材３２の基板部３６は、鉤部３７が弾性変位するにしたがって先端部が短軸方向Ｓの外方に変位するように弾性変形する。このとき、弾性変形した基板部３６の先端部が規制壁３４に当接していると共に第１及び第２係止突出部３４Ａ、３６Ａが係合しているので、基板部３６の先端部が下方に変位することが防止されつつ、係合突片１５が安定して下方に押し込まれる。
【００３３】
その後、係合突片１５は、鉤部３７の先端を摺接させながら下方に向けてさらに進入する。そして、鉤部３７の先端が係合突片１５の係合孔１５Ａに到達すると、係合部材３２の基板部３６は、復元変形し、鉤部３７は、係合突片１５の係合孔１５Ａ内に進入して係合される。
なお、鉤部３７の形状や材質、内容器２の挿入速度などの挿入方法に応じて、鉤部３７は、係合突片１５の進入に伴って基板部３６との接続部分を起点として下方に撓むことによって係合突片１５の進入を可能としてもよく、係合突片１５の進入に伴って短軸方向Ｓの外方に向けて弾性変位しつつ、基板部３６との接続部分を起点として下方に撓むことによって係合突片１５の進入を可能としてもよい。
【００３４】
以上のような構成の二重容器１によれば、外装体３の本体筒３１内に内容器２を底部１３Ｂ側から挿入すると、係合突片１５により鉤部３７が短軸方向Ｓの外方に向けて弾性変位し、鉤部３７の先端が係合孔１５Ａに到達したときにこの鉤部３７が係合孔１５Ａに進入して係合孔１５Ａと係合するので、外装体３に対する内容器２の装着が容易になる。
ここで、規制壁３４を設けて基板部３６の先端部の位置を安定させることで、鉤部３７と係合孔１５Ａとの係合が安定するので、内容器２を外装体３に対して確実に固定できると共に、内容器２の装着及び抜き出しを繰り返しても、内容器２の装着容易性が低下しない。
【００３５】
また、基板部３６の第１係止突出部３６Ａと規制壁３４の第２係止突出部３４Ａとを係合させることで、係合突片１５の押込時に基板部３６が下方に向けて変位することを防止できるので、外装体３に対する内容器２の装着がさらに容易になる。
さらに、先端に向かうにしたがって下方に向けて延在する鉤部３７の形状によっても、鉤部３７に係合突片１５を引っ掛けることなく鉤部３７を弾性変位させることが可能になるので、外装体３に対する内容器２の装着がさらに容易になる。また、内容器２が外装体３に対して上方に向けて移動することをより確実に規制できる。
そして、支持筒３３を設けることで、容器本体１３の底部１３Ｂに局所的な負荷が集中して内容器２が大きく変形することを防止できる。
【００３６】
なお、本発明は上記実施形態に限定されるものではなく、本発明の趣旨を逸脱しない範囲において種々の変更を加えることができる。
例えば、内容器は、積層剥離容器に限らず、他の容器であってもよい。
内容器の吐出部材は、ポンプなど、他の構成であってもよい。
係合突片には、係合部材の鉤部と係合する係合孔が形成されているが、鉤部と係合できれば、係合凹部や係合突出部など他の構成を適用してもよい。
係合部材は、２以上設けてもよい。係合部材を２つ設ける場合には、容器軸を径方向で挟んで両側に係合部材を設けることが好ましい。これにより、内容器をより安定して固定することができる。
第１及び第２係止部の形状は、係止突出部に限らず、係止溝部など、他の形状であってもよい。また、第１及び第２係止部を設けなくてもよい。
鉤部は、案内壁に係合するように構成してもよく、例えば、案内壁に形成された係止孔に鉤部の先端を挿入するように係合してもよい。また、鉤部の形状は、先端に向かうにしたがって漸次下方に向けて延在する形状に限らず、他の形状であってもよい。さらに、基板部は、弾性変形可能でなくてもよい。
外装体には、支持部材を設けなくてもよい。また、本体筒は、本体筒の下方から係合部材を操作するための開口部が形成されていれば、有底筒状など、他の形状であってもよい。
【産業上の利用可能性】
【００３７】
この発明によれば、外装体に内容器を容易に装着することができる二重容器に関して、産業上の利用可能性が認められる。
【符号の説明】
【００３８】
１  二重容器、２  内容器、２Ａ  吐出口、３  外装体、１３Ｂ  底部、１５  係合突片、１５Ａ  係合孔（係合部）、３１  本体筒、３１Ａ  下端開口部、３１Ｂ  上端開口部、３２  係合部材、３３  支持筒（支持部材）、３４  規制壁（規制部材）、３４Ａ  第２係止突出部（第２係止部）、３６Ａ  第１係止突出部（第１係止部）
【図１】
0005764422.tif 000002
【図２】
0005764422.tif 000003
【図３】
0005764422.tif 000004
【図４】
0005764422.tif 000005
【図５】
0005764422.tif 000006